(57)【要約】      （修正有）【課題】光源と光学部品との高精度な位置決めを維持しつつ、短時間で光学部品の検査を行う検査方法を提供する。【解決手段】予め光源に対する標準光学部品の相対位置毎に撮像した比較配光画像を含む配光画像情報群を生成し、検査対象光学部品に光を照射し、通過した光の様子を写し出した第１配光画像を第１光学部により撮像する（２４１）。第１配光画像と、配光画像情報群に含まれる比較配光画像の各々とを比較し（２４５）、第１配光画像と比較配光画像との類似度に基づいて、検査対象光学部品と前記光源とのずれ量を算出する（２４８）。ずれ量に基づいて、検査対象光学部品の前記光源に対する位置ずれを修正する（２４９）。位置ずれが修正された検査対象光学部品に光源から光を照射し、検査対象光学部品を通過した光の様子を写し出した第２配光画像を前記第１光学部により撮像し、第２配光画像に基づいて、検査対象光学部品の状態を判定する。【選択図】図１２
2019045399.tif 000002
【特許請求の範囲】
【請求項１】
予め光源に対する標準光学部品の相対位置毎に撮像した比較配光画像を含む配光画像情報群を生成する工程と、
検査対象光学部品に前記光源から光を照射し、前記検査対象光学部品を通過した光の様子を写し出した第１配光画像を第１光学部により撮像する工程と、
前記第１配光画像と、前記配光画像情報群に含まれる前記比較配光画像の各々とを比較し、前記第１配光画像と前記比較配光画像との類似度に基づいて、前記検査対象光学部品と前記光源とのずれ量を算出する工程と、
前記ずれ量に基づいて、前記検査対象光学部品の前記光源に対する位置ずれを修正する工程と、
位置ずれが修正された前記検査対象光学部品に前記光源から光を照射し、前記検査対象光学部品を通過した光の様子を写し出した第２配光画像を前記第１光学部により撮像する工程と、
前記第２配光画像に基づいて、前記検査対象光学部品の状態を判定する工程と、
を含む検査方法。
【請求項２】
前記配光画像情報群は、前記第１光学部よりも高倍率である第２光学部によって、前記光源と前記標準光学部品の位置合わせを行った後、前記標準光学部品の前記光源に対する相対位置を変化させつつ、前記第１光学部によって前記相対位置毎に前記比較配光画像を撮像して生成する請求項１に記載の検査方法。
【請求項３】
前記類似度は、前記比較配光画像と前記第１配光画像とのテンプレートマッチングにより算出する請求項１又は２に記載の検査方法。
【請求項４】
前記類似度は、前記比較配光画像及び前記第１配光画像について、それぞれ階調値の分布を示すプロファイル画像を作成し、前記プロファイル画像における特徴点の一致度に基づいて算出する請求項１又は２に記載の検査方法。
【請求項５】
前記特徴点は、前記階調値の分布に基づく近似直線の傾きである請求項４に記載の検査方法。
【請求項６】
検査対象光学部品に光源から光を照射し、前記検査対象光学部品を通過した光の様子を写し出した第１配光画像と、予め光源に対する標準光学部品の相対位置毎に撮像した比較配光画像を含む配光画像情報群に含まれる前記比較配光画像の各々とを比較し、
前記第１配光画像と前記比較配光画像との類似度に基づいて、前記検査対象光学部品と前記光源とのずれ量を算出し、
前記ずれ量に基づいて、前記検査対象光学部品の前記光源に対する位置ずれを修正し、
位置ずれが修正された前記検査対象光学部品に前記光源から光を照射し、前記検査対象光学部品を通過した光の様子を写し出した第２配光画像に基づいて、前記検査対象光学部品の状態を判定する、
処理をコンピュータに実行させる検査プログラム。
【請求項７】
光源と、
前記光源に照射される検査対象光学部品及び標準光学部品の前記光源に対する位置合わせを行う位置合わせ部と、
前記検査対象光学部品を通過した前記光源の光の様子を写し出した第１配光画像と、前記標準光学部品を通過した前記光源の光の様子を写し出した比較配光画像とを撮像する第１光学部と、
前記第１光学部よりも高倍率であり、前記光源と前記標準光学部品との位置関係を撮像する第２光学部と、
前記第２光学部によって撮像された位置合わせ画像に基づいて前記位置合わせ部に前記光源と前記標準光学部品との位置合わせをさせ、前記位置合わせ部に前記標準光学部品の前記光源に対する相対位置を変化させ、前記光源に対する前記標準光学部品の相対位置毎に前記第１光学部によって撮像した前記比較配光画像を含む配光画像情報群を生成し、前記第１配光画像と配光画像情報群に含まれる前記比較配光画像の各々とを比較し、前記第１配光画像と前記比較配光画像との類似度に基づいて前記検査対象光学部品と前記光源とのずれ量を算出し、前記ずれ量に基づいて前記位置合わせ部に前記検査対象光学部品と前記光源との位置ずれを修正させ、位置ずれが修正された前記検査対象光学部品に前記光源から光を照射し、前記検査対象光学部品を通過した光の様子を写し出した第２配光画像を前記第１光学部により撮像させ、前記第２配光画像に基づいて、前記検査対象光学部品の状態を判定する制御部と、
を含む検査装置。
【発明の詳細な説明】
【技術分野】
【０００１】
本発明は、検査方法、検査プログラム及び検査装置に関する。
【背景技術】
【０００２】
従来、各種分野において、例えば、部品同士等、複数の対象物の位置合わせが要求される場合がある。この場合、例えば、撮像装置で撮像して得られる画像に基づいて位置計測を行うことが知られている。このような位置計測の高速度化を図り、精度を向上させる提案も種々されている。例えば、アライメントマークの計測の高速度化を図りつつ、マーク位置を高精度に計測する提案がされている（特許文献１参照）。
【先行技術文献】
【特許文献】
【０００３】
【特許文献１】特開２００７−３２４１５９号公報
【発明の概要】
【発明が解決しようとする課題】
【０００４】
ところで、組立や、検査を自動的に行う装置において、対象物を所定の位置に合わせる場合、その対象物が数ミリ程度以下であると、その位置合わせには、数十ミクロン程度の精度が要求されることがある。例えば、数ミリ程度以下の光学部品である光変調素子等が対象物となる場合、このような高精度の位置合わせが要求される。
【０００５】
一方、このような微小な光学部品を検査対象とし、その表面の傷や汚れ等の有無を検査する場合、直接観察による外観検査よりも、実際に、その光学部品が所望の機能を発揮できるか否かを検査した方が効率的である場合がある。すなわち、検査装置において実際に光学部品に光源から光を照射し、その光学部品を通過した光が所定の配光状態を実現しているか否かを判定することで、効率的に検査を実施することができる。
【０００６】
ここで、配光状態の判定は、以下の態様で実施することが考えられる。すなわち、光学部品を通過した光をスクリーンに照射することでこのスクリーンに写し出された配光を撮像装置で撮像し、その配光画像を分析することで配光状態を判定することが考えられる。スクリーンに写し出された配光画像を検査に伴う分析に供する場合、その精度を向上させるためには、一画素のサイズがスクリーンにおける照射領域に対して小さくなるようにして設定し、配光画像を撮像することが望ましい。例えば、寸法が数ミリ程度である光学部品に対して、スクリーンの寸法を数十センチ程度に設定することで、分析に適した配光画像を撮像することができる。
【０００７】
しかしながら、このような配光画像の分析は、光源と光学部品との位置合わせが高精度に行われていることが前提となる。
【０００８】
このような高精度な位置合わせを撮像装置で撮像した画像を用いて行う場合、その撮像には、配光画像を撮影する場合と比較して高倍率の光学系を用いることが必要となる。このため、検査に際しては、光源と検査対象となる光学部品との位置決めを行う位置決め用の光学系と、実際に検査を行うための撮像を行う検査用の光学系とを入れ替える作業が伴う。このような入れ替え作業は、検査対象となる光学部品が変わるたびに行わなければならず、手間がかかり、複数の光学部品を検査する際に長時間を要するという問題がある。
【０００９】
特許文献１は、アライメントマークの計測の高速度化を図りつつ、マーク位置を高精度に計測する提案であり、位置決め用の光学系と、検査用の光学系との入れ替えに伴う問題を解決するものとはなっていない。
【００１０】
１つの側面では、本発明は、光源と光学部品との高精度な位置決めを維持しつつ、短時間で光学部品の検査を行うことを目的とする。
【課題を解決するための手段】
【００１１】
１つの態様では、検査方法は、予め光源に対する標準光学部品の相対位置毎に撮像した比較配光画像を含む配光画像情報群を生成する工程と、検査対象光学部品に前記光源から光を照射し、前記検査対象光学部品を通過した光の様子を写し出した第１配光画像を第１光学部により撮像する工程と、前記第１配光画像と、前記配光画像情報群に含まれる前記比較配光画像の各々とを比較し、前記第１配光画像と前記比較配光画像との類似度に基づいて、前記検査対象光学部品と前記光源とのずれ量を算出する工程と、前記ずれ量に基づいて、前記検査対象光学部品の前記光源に対する位置ずれを修正する工程と、位置ずれが修正された前記検査対象光学部品に前記光源から光を照射し、前記検査対象光学部品を通過した光の様子を写し出した第２配光画像を前記第１光学部により撮像する工程と、前記第２配光画像に基づいて、前記検査対象光学部品の状態を判定する工程と、を含む。
【００１２】
また、別の態様では、検査プログラムは、検査対象光学部品に光源から光を照射し、前記検査対象光学部品を通過した光の様子を写し出した第１配光画像と、予め光源に対する標準光学部品の相対位置毎に撮像した比較配光画像を含む配光画像情報群に含まれる前記比較配光画像の各々とを比較し、前記第１配光画像と前記比較配光画像との類似度に基づいて、前記検査対象光学部品と前記光源とのずれ量を算出し、前記ずれ量に基づいて、前記検査対象光学部品の前記光源に対する位置ずれを修正し、位置ずれが修正された前記検査対象光学部品に前記光源から光を照射し、前記検査対象光学部品を通過した光の様子を写し出した第２配光画像に基づいて、前記検査対象光学部品の状態を判定する、処理をコンピュータに実行させる。
【００１３】
さらに、別の態様では、検査装置は、光源と、前記光源に照射される検査対象光学部品及び標準光学部品の前記光源に対する位置合わせを行う位置合わせ部と、前記検査対象光学部品を通過した前記光源の光の様子を写し出した第１配光画像と、前記標準光学部品を通過した前記光源の光の様子を写し出した比較配光画像とを撮像する第１光学部と、前記第１光学部よりも高倍率であり、前記光源と前記標準光学部品との位置関係を撮像する第２光学部と、前記第２光学部によって撮像された位置合わせ画像に基づいて前記位置合わせ部に前記光源と前記標準光学部品との位置合わせをさせ、前記位置合わせ部に前記標準光学部品の前記光源に対する相対位置を変化させ、前記光源に対する前記標準光学部品の相対位置毎に前記第１光学部によって撮像した前記比較配光画像を含む配光画像情報群を生成し、前記第１配光画像と配光画像情報群に含まれる前記比較配光画像の各々とを比較し、前記第１配光画像と前記比較配光画像との類似度に基づいて前記検査対象光学部品と前記光源とのずれ量を算出し、前記ずれ量に基づいて前記位置合わせ部に前記検査対象光学部品と前記光源との位置ずれを修正させ、位置ずれが修正された前記検査対象光学部品に前記光源から光を照射し、前記検査対象光学部品を通過した光の様子を写し出した第２配光画像を前記第１光学部により撮像させ、前記第２配光画像に基づいて、前記検査対象光学部品の状態を判定する制御部と、を含む。
【発明の効果】
【００１４】
光源と光学部品との高精度な位置決めを維持しつつ、短時間で光学部品の検査を行うことができる。
【図面の簡単な説明】
【００１５】
【図１】図１は第１光学部が設置された実施形態の検査装置を模式的に示す説明図である。
【図２】図２は検査対象となる光学部品の概略構成を示す説明図である。
【図３】図３は光学部品を保持するホルダの斜視図である。
【図４】図４は実施形態の検査装置が備える制御部のハードウェア構成を示す図である。
【図５】図５は配光画像の一例を示す説明である。
【図６】図６は光学部品の位置と配光画像及びそのプロファイルを示す説明図である。
【図７】図７は第２光学部が設置された実施形態の検査装置を模式的に示す説明図である。
【図８】図８は配光画像情報群の生成工程の一例を示すフローチャートである。
【図９】図９は配光画像情報群の一例を示す説明図である。
【図１０】図１０は配光画像情報群における座標の割り振りを示す説明図である。
【図１１】図１１は光学部品の検査工程の一例を示すフローチャートである。
【図１２】図１２は検査工程に含まれる位置合わせ処理のサブルーチンを示すフローチャートである。
【図１３】図１３は第１配光画像と一致した比較配光画像の一例を示す説明図である。
【図１４】図１４は第２実施形態において第１配光画像と比較配光画像との類似度の算出に用いられる特徴点を示す説明図である。
【発明を実施するための形態】
【００１６】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１７】
（第１実施形態）
まず、図１乃至図７を参照しつつ、第１実施形態の検査装置１及び検査対象である光変調素子２５の概略構成について説明する。図１は第１光学部が設置された実施形態の検査装置を模式的に示す説明図である。図２は検査対象となる光学部品の概略構成を示す説明図である。図３は光学部品を保持するホルダの斜視図である。図４は実施形態の検査装置が備える制御部のハードウェア構成を示す図である。図５は配光画像の一例を示す説明である。図６は光学部品の位置と配光画像及びそのプロファイルを示す説明図である。図７は第２光学部が設置された実施形態の検査装置を模式的に示す説明図である。
【００１８】
検査装置１は、検査対象である光変調素子２５が所望の品質を備えているか否か、例えば、傷があったり、汚れていたりしないか否かを判定する。検査装置１は、実際に光変調素子２５を通過した光をスクリーン１３に照射し、これによりスクリーン１３に写し出された配光を第１撮像装置１１で撮像し、その配光画像を分析することで検査を行う。なお、光変調素子２５は、位置合わせのために予め準備しておく比較配光画像を含む配光画像情報群を生成するときに用いられる標準光学部品である場合と、検査の対象となる検査対象光学部品である場合がある。これらについては、後に詳説する。
【００１９】
図１を参照すると、検査装置１は、第１光学部１０、位置合わせ部２０、照明部３０、制御部としてのＰＣ（Personal Computer）４０を備える。第１光学部１０は、図７に示すように第２光学部５０と入れ替えることができる。
【００２０】
第１光学部１０は、検査対象光学部品としての光変調素子２５を通過した光源３３の光の様子を写し出した第１配光画像と、標準光学部品としての光変調素子２５を通過した光源３３の光の様子を写し出した比較配光画像とを撮像する。第１光学部１０は、第１撮像装置１１を備える。第１撮像装置１１には、第１レンズ１２が装着されている。第１レンズ１２の下方には、スクリーン１３が配置されている。第１光学部１０は、検査工程で用いられるのみではなく、検査対象光学部品としての光変調素子２５の位置決めを行う際にも利用される。スクリーン１３には、後に説明する光変調素子２５を通過した光源３３の光が照射され、比較配光画像、第１配光画像及び第２配光画像が写し出される。第１撮像装置１１は、第１レンズ１２を介して、これらの配光画像を撮像する。
【００２１】
位置合わせ部２０は、光源３３に照射される検査対象光学部品としての光変調素子２５及び標準光学部品としての光変調素子２５の光源３３に対する位置合わせを行う。位置合わせ部２０は、第１回転ステージ２１、第２回転ステージ２２及びＸＹ移動ステージ２３を備える。これらの各ステージは、光変調素子２５を保持するホルダ２４と接続されており、ホルダ２４、ひいては、光変調素子２５の位置を調整することができる。ここで、第１回転ステージ２１は、後に説明する光源３３と光変調素子２５との位置合わせに用いられる。第１回転ステージ２１によって光源３３と光変調素子２５との位置合わせが行われた状態における光変調素子２５の位置が初期位置として設定される。初期位置には、ＸＹ座標と、ＸＹ平面内における回転座標が含まれる。第２回転ステージ２２は、後に説明する比較配光画像を撮像するときに、光変調素子２５の位置を順次変化させる。光変調素子２５の位置を順次変化させるとき、第２回転ステージ２２のＸＹ座標（０，０）及び回転座標０°は、第１回転ステージ２１の初期位置に一致させて設定されている。
【００２２】
なお、本実施形態では、第１回転ステージ２１と第２回転ステージ２２を備えているが、単一の回転ステージとしてもよい。単一の回転ステージとする場合、光源３３と光変調素子との位置合わせが完了した位置の座標を基準となる原点、すなわち、ＸＹ座標（０，０）、回転座標０°に設定し、比較配光画像を撮像するときのＸＹ座標を指定するようにすればよい。
【００２３】
ＸＹ移動ステージ２３は、ホルダ２４、すなわち、光変調素子２５をＸＹ平面内で移動させる。ＸＹ移動ステージ２３は、比較配光画像を撮像する際に、光源３３に対する光変調素子２５の位置を変化させるときに用いる。また、ＸＹ移動ステージ２３は、検査対象となる光変調素子２５の位置ずれの修正にも用いる。
【００２４】
ホルダ２４には、図２に示すような光変調素子２５が保持される。光変調素子２５は、矩形の透明板材の中心部に溝形成部２５ａが設けられている。光変調素子２５は、光学部品の一例であり、本実施形態においては、ＤＯＥ（Diffractive Optical Element；回折光学素子）である。溝形成部２５ａには、所望の効果を得ることができるように、複数の溝が形成されている。光変調素子２５は、回折格子、回折格子アレイやレンズなど、利用に際して位置合わせが必要な素子を含む。
【００２５】
本実施形態では、まず、標準光学部品としての光変調素子２５を準備する。標準光学部品としての光変調素子２５は、位置合わせのために予め準備しておく比較配光画像を含む配光画像情報群を生成するときに用いられる。標準光学部品は、後に、検査対象となる光変調素子２５の位置決めを行う際に、基準とされるマスターに認定された部品である。後の工程において、検査対象となる光変調素子２５の位置決めを行う際に用いられる比較配光画像は、この標準光学部品としての光変調素子２５を撮像することで得られる。
【００２６】
このため、標準光学部品としての光変調素子２５は、傷や汚れがないことが保証された素子が選定される。標準光学部品として傷や汚れがないことを保証するためには、従来公知の手法を採用することができる。例えば、光変調素子２５の外観検査によって、傷や汚れがないことを確認し、標準光学部品として認定してもよい。また、位置決め精度を担保することができる倍率を備えた光学部を用いて位置決めを行い、その後、光源によって光を照射し、所定の配光状態を実現していることを確認することで、標準光学部品として認定してもよい。他の光学部品を検査する場合にも、同様の要領で標準光学部品を認定し、比較配光画像を撮像する。
【００２７】
光変調素子２５は、図３に示すようなホルダ２４に保持される。ホルダ２４は、矩形のブロックの中心部に透孔２４ａが設けられている。透孔２４ａには、光源３３が照射する光が通過する。透孔２４ａの内周壁には、光変調素子２５が載置され、保持する段差部２４ｂが設けられている。段差部２４ｂに光変調素子２５が載置されることで、光変調素子２５に光源３３の光を通過させることができる。ホルダ２４は、第１回転ステージ２１、第２回転ステージ２２及びＸＹ移動ステージ２３と接続されており、その位置を変化させることができる。
【００２８】
再び、図１を参照すると、照明部３０は、固定状態とされた基板設置ジグ３１を備える。基板設置ジグ３１には、光源３３が実装された基板３２が固定されている。本実施形態における光源３３は、ＬＥＤ（Light Emitting Diode）である。基板３２には、電源３４が電気的に接続されており、光源３３が点灯できるようになっている。基板設置ジグ３１は、ホルダ２４の下側に設置されており、光源３３によってホルダ２４に保持された光変調素子２５を照射する。
【００２９】
ＰＣ４０は、制御部として機能する。ＰＣ４０が、本実施形態の検査方法を実行する際に、検査装置１の各部の動作を制御する。図４を参照すると、ＰＣ４０のハードウェア構成が概略的に示されている。図４に示すように、ＰＣ４０は、ＣＰＵ（Central Processing Unit）４１、ＲＯＭ（Read Only Memory）４２、ＲＡＭ（Random Access Memory）４３、記憶部（ここではＨＤＤ（Hard Disk Drive））４４を備える。また、ＰＣ４０は、入出力インターフェイス４５、及び可搬型記憶媒体用ドライブ４６等を備えている。これらＰＣ４０の構成各部は、バス４８に接続されている。ＰＣ４０では、ＲＯＭ４２あるいはＨＤＤ４４に格納されているプログラム、或いは可搬型記憶媒体用ドライブ４６が可搬型記憶媒体４７から読み取ったプログラムをＣＰＵ４１が実行する。これにより、制御部としての機能が実現され、第１光学部１０、位置合わせ部２０、照明部３０、さらには、後に説明する第２光学部５０の動作が制御される。ここで、プログラムには検査プログラムが含まれる。
【００３０】
つぎに、図５を参照して、配光画像Ｐ０について説明する。配光画像Ｐ０は、標準光学部品としての光変調素子２５を撮像した比較配光画像である場合、第１配光画像である場合、そして、第２配光画像である場合があるが、いずれの場合も、第１光学部１０によって撮像される。比較配光画像は、光源３３に対する標準光学部品としての光変調素子２５の相対位置毎に配光を撮像した画像である。第１配光画像は、位置ずれ修正前の検査対象となる光変調素子２５を撮像した画像である。第２配光画像は、位置ずれが修正され、品質の検査が実施される状態の光変調素子２５を撮影した画像である。配光画像Ｐ０は、スクリーン１３に写し出される。図５における１６０ｍｍ×２００ｍｍの寸法は、スクリーン１３の寸法を表している。配光画像Ｐ０には、光変調素子２５の溝形成部２５ａに対応する部分が配光部Ｐ０ｒとして明るく表示される。
【００３１】
ここで、図６を参照すると、光源３３と光変調素子２５との位置に応じて、異なる配光画像が得られることがわかる。図６において（ａ−１）、（ｂ−１）及び（ｃ−１）は、光変調素子２５と光源３３との相対位置を示している。（ａ−２）、（ｂ−２）及び（ｃ−２）は、（ａ−１）、（ｂ−１）及び（ｃ−１）に対応する配光画像を示している。（ａ−３）、（ｂ−３）及び（ｃ−３）は、（ａ−２）、（ｂ−２）及び（ｃ−２）に対応するプロファイルを示している。例えば、（ａ−１）のように、光変調素子２５の中心部に対し、光源３３が図面中左側にずれている場合、（ａ−２）に示すように、配光部Ｐ０ｒの右側が暗く写る。これは、（ａ−３）に示すプロファイルからも明らかである。（ｂ−１）のように、光変調素子２５の中心部と光源３３とが一致していると、（ｂ−２）に示すように、配光部Ｐ０ｒの全域が均等の明るさに写される。これは、（ｂ−３）に示すプロファイルからも明らかである。（ｃ−１）に示すように、光変調素子２５の中心部に対し、光源３３が図面中右側にずれている場合、（ｃ−２）に示すように、配光部Ｐ０ｒの左側が暗く写る。これは、（ｃ−３）に示すプロファイルからも明らかである。このように、光源３３と光変調素子２５との相対位置と、配光画像Ｐ０との間には、相関性が認められる。そこで、本実施形態では、光源３３と光変調素子２５との相対位置と、配光画像Ｐ０との間の相関性を利用して検査対象となる光変調素子２５の光源３３に対する位置ずれの修正を行う。
【００３２】
そこで、本実施形態では、まず、予め光源３３に対する標準光学部品としての光変調素子２５の相対位置毎に撮像した比較配光画像を含む配光画像情報群を生成する。ここで、比較配光画像を撮像するためには、光源３３と標準光学部品としての光変調素子２５との位置が一致していることが求められる。この位置合わせを行うために、図７に示すように、第２光学部５０が用いられる。第２光学部５０は、第１光学部１０と交換して設置できるようになっている。第２光学部５０は、第２撮像装置５１を備える。第２撮像装置５１には、第２レンズ５２が装着されている。第２レンズ５２は、第１光学部１０が備える第１レンズ１２よりも高倍率である。第２光学部５０は、光源３３と標準光学部品としての光変調素子２５との位置関係を撮像する。第２光学部５０は、検査装置１に含まれるが、比較配光画像を撮影する前提となる光源３３と標準光学部品としての光変調素子２５との位置合わせにのみ用いられる。すなわち、実際に検査対象となる光変調素子２５の位置合わせ行う際には、使用されない。すなわち、検査対象となる光変調素子２５が設置される度に第１光学部１０との入れ替えが不要となる。この結果、短時間で光変調素子２５の検査を行うことができる。なお、第２光学部５０は、第１光学部１０と異なり、スクリーン１３を備えていない。
【００３３】
本実施形態の検査方法は、このような検査装置１を稼動させることで実施することができる。
【００３４】
ここで、図８に示すフローチャートを参照しつつ、配光画像情報群の生成について説明する。図８は配光画像情報群の生成工程の一例を示すフローチャートである。配光画像情報群は、光源３３と光変調素子２５とのずれ量を示す座標と、その座標における比較配光画像を組として記憶したデータである。
【００３５】
まず、ステップＳ１では、光源３３、すなわち、基板３２を基板設置ジグ３１に取り付ける。そして、ステップＳ２で第２光学部５０を取り付ける。なお、ステップＳ１とステップＳ２の順番は問わず、同時に行ってもよい。
【００３６】
ステップＳ３で、第２光学部５０によって光源３３を撮像し、光源３３の位置を認識する。光源３３の位置情報には、ＸＹ座標と回転座標とが含まれる。ステップＳ３に引き続き行うステップＳ４では、標準光学部品としての光変調素子２５をホルダ２４に設置する。そして、ステップＳ５において、第１回転ステージ２１及びＸＹ移動ステージ２３によって光変調素子２５の位置調整を行い、光源３３と光変調素子２５との位置合わせを行う。これにより、光源３３が光変調素子２５の直下に位置する状態となる。このように光源３３との位置合わせが行われた光変調素子２５のＸＹ座標及び回転座標が初期位置に設定され、ＸＹ座標（０，０）及び回転座標０°として記憶される。第２光学部５０は、第１光学部１０と比較して高倍率である第２レンズ５２を備えており、このような第２レンズ５２を介して撮像された画像に基づいて光源３３と標準光学部品としての光変調素子２５との位置合わせが行われる。
【００３７】
このように、配光画像情報群を生成するためには、まず、第１光学部１０よりも高倍率である第２光学部５０によって、光源３３と標準光学部品としての光変調素子２５の位置合わせを行う。そして、ステップＳ６〜ステップＳ１１において、標準光学部品としての光変調素子２５の光源３３に対する相対位置を変化させつつ、第１光学部１０によって相対位置毎に比較配光画像を撮像する。
【００３８】
具体的に、ステップＳ６において、第２光学部５０と入れ替えて、第１光学部１０が取り付けられる。ステップＳ７では、光変調素子２５を初期位置、すなわち、光源３３との位置合わせが行われた位置へ移動する。なお、すでに、初期位置へ位置している場合には、その確認を行うのみで、格別の移動動作は不要である。
【００３９】
ステップＳ７に引き続き行われるステップＳ８では、ＰＣ４０の指示に基づいて、第１光学部１０によって比較配光画像を撮像する。そして、ステップＳ９において、その比較配光画像を、そのときのＸＹ座標（０，０）と共にデータ保存する。
【００４０】
ステップＳ１０では、ＰＣ４０は、終了位置に到達し、全ての座標について、比較配光画像の撮像が完了したか否かを判断する。ステップＳ１０でＮｏと判断したときは、ステップＳ１１へ進み、位置合わせ部２０は、光変調素子２５を次の座標位置へ移動させる。光変調素子２５の座標の移動は、Ｘ座標又はＹ座標を一つずつずらすことによって行う。ステップＳ１１で座標位置を移動した後は、ステップＳ８〜ステップＳ１０の処理を繰り返す。これにより、座標毎の比較配光画像が撮像され、記憶される。座標は、光源３３と光変調素子２５との相対位置を示していることから、光源３３に対する標準光学部品としての光変調素子２５の相対位置毎に撮像した比較配光画像が得られる。
【００４１】
ステップＳ１０でＹｅｓと判定したときは、一連の処理は終了となる。この段階で、光源３３に対する標準光学部品としての光変調素子２５のすべての相対位置毎に撮像した比較配光画像を含む配光画像情報群の生成が完了する。ここで、図９を参照して、配光画像情報群の一例について説明する。配光画像情報群は、ＸＹ座標毎に、そのＸＹ座標と、そのＸＹ座標における比較配光画像とが紐づけられたデータとなっている。なお、本実施形態におけるＸＹ座標は、図１０に示すように、中心ＸＹ座標を（０，０）とし、その中心座標（０，０）からＸ方向にどれだけ離れているか、さらに、Ｙ方向にどれだけ離れているかによって表現されている。離れる方向については、Ｘ方向、Ｙ方向のそれぞれについて＋（プラス）と−（マイナス）で表現されている。
【００４２】
このような配光画像情報群は、後に検査対象となる光変調素子２５の位置合わせに用いられる。すなわち、配光画像情報は、一度取得できれば、それ以後は、繰り返し利用されるものであり、光変調素子２５の実際の検査を行う前に生成されていればよい。
【００４３】
つぎに、図１１を参照して、光変調素子２５の検査について説明する。図１１は光学部品の検査工程の一例を示すフローチャートである。まず、ステップＳ２１で、検査対象となる光変調素子２５をホルダ２４に設置する。そして、位置合わせ部２０によってホルダ２４、すなわち、光変調素子２５を初期位置へ移動させる。そして、ステップＳ２３で光源３３を点灯させ、ステップＳ２４において、光源３３と光変調素子２５との位置合わせ処理を行う。ステップＳ２４の位置合わせ処理については、サブルーチンとなっているため、後に詳説する。
【００４４】
ステップＳ２４において位置合わせ処理が完了した後は、ＰＣ４０は、ステップＳ２５で光変調素子２５の検査を行う。ステップＳ２５では、第２配光画像を撮像する。第２配光画像は、光源３３と光変調素子２５との位置合わせが行われた状態で撮像されたものである。このような第２配光画像をステップＳ２６において、画像処理を行い、その結果に基づいて、ステップＳ２７で光変調素子２５が所望の品質を維持しているか否か、すなわち、傷や汚れがないかを判定し、その結果をＰＣ４０に表示する。なお、ステップＳ２６における画像処理は、従来、公知の手法を用いることができる。本実施形態では、マッチング処理を行って、所望の画像となっているか否かを判定している。
【００４５】
ここで、ステップＳ２４の位置合わせ処理を実行するためのサブルーチンにつき、図１２を参照して説明する。図１２は検査工程に含まれる位置合わせ処理のサブルーチンを示すフローチャートである。ステップＳ２４１では、ＰＣ４０の指令に基づいて、検査対象光学部品としての光変調素子２５に光源３３から光を照射し、その光変調素子２５を通過した光の様子を写し出した第１配光画像を撮像する。第１配光画像は第１光学部１０によって撮像される。
【００４６】
ステップＳ２４１に引き続いて行われるステップＳ２４２では、第１配光画像の画像中心を維持して画像の切り出しを行う。そして、ステップＳ２４３では、切り出した画像をテンプレート画像として登録する。このように切り出した画像をテンプレート登録するのは、以後の処理で行われる類似度の判定の精度を向上させるためである。すなわち、余分な領域を削除した上で類似度を判定することで、より特徴的な部分の類似度を際立たせ、判定精度を向上させるためである。
【００４７】
ステップＳ２４４では、配光画像情報群の中から、比較配光画像を選択する。具体的に、順次、ＸＹ座標を呼び出し、そのＸＹ座標に紐づけられている比較配光画像を呼び出す。そして、ステップＳ２４５では、選択した比較配光画像と切り出された第１配光画像とのテンプレートマッチングを行う。これにより、両者の類似度を算出する。ステップＳ２４５に引き続いて行うステップＳ２４６では、算出した類似度の最大値とその位置、すなわち、ＸＹ座標を保存する。
【００４８】
ステップＳ２４７では、ＰＣ４０は、選択している比較配光画像のＸＹ座標が終了位置に到達したか否か、すなわち、全ての比較配光画像と、第１配光画像との類似度の算出が完了したか否かを判定する。ステップＳ２４７でＮｏと判定したときは、ステップＳ２４４で選択する比較配光画像を変更し、ステップＳ２４６までの処理を繰り返す。
【００４９】
ステップＳ２４７でＹｅｓと判定したときは、ステップＳ２４８へ進む。ステップＳ２４８では、全ての比較配光画像の中から、最も類似度が高い比較配光画像を選び出し、その比較配光画像のＸＹ座標を、第１配光画像として撮像された光変調素子２５の原点からのずれ量として決定する。そして、ステップＳ２４９では、そのずれ量に基づいて、位置ずれを修正する。例えば、図１３に示すように、ＸＹ座標（−６，６）と紐づけられた比較配光画像が最大の類似度を示した場合、第１配光画像として撮像された光変調素子２５は、ＸＹ座標（−６，６）に位置していると判定される。このため、ＰＣ４０は、位置合わせ部２０に指令を発し、ＸＹ座標（−６，６）に位置している光変調素子２５が原点と一致するように、位置ずれを修正する。
【００５０】
以上の工程を経ることにより、検査対象光学部品としての光変調素子２５の位置合わせが完了する。位置合わせが完了した後は、図１１に示すフローチャートにおけるステップＳ２５〜ステップＳ２７へ移行し、光変調素子２５の検査を行う。
【００５１】
以上のように、検査対象光学部品としての光変調素子２５の検査において、光源３３との位置合わせを行うときには、配光画像情報群を用いた類似度に基づいて位置合わせを実施する。従って、検査工程において、第２光学部５０が用いられることはなく、第１光学部１０と第２光学部５０とを入れ替える工程も不要である。この結果、光源３３と光変調素子２５との高精度な位置決めを維持しつつ、短時間で光変調素子２５の検査を行うことができる。複数の光変調素子２５を連続して検査するような場合、時間短縮の効果は、より顕著なものとなる。
【００５２】
（第２実施形態）
つぎに、第２実施形態につき、図１４を参照しつつ説明する。図１４は第２実施形態において第１配光画像と比較配光画像との類似度の算出に用いられる特徴点を示す説明図である。
【００５３】
第１実施形態では、第１配光画像と選択した比較配光画像との類似度をテンプレートマッチングによって算出していた。これに対し、本実施形態では、比較配光画像及び第１配光画像について、それぞれ階調値の分布を示すプロファイル画像を作成し、このプロファイル画像における特徴点の一致度に基づいて類似度を算出する。具体的に、図１４を参照すると、特徴点として、階調値の分布に基づく近似直線の傾きを採用する。図１４における（ａ−１）は、光変調素子２５の位置が光源３３の中心と一致しているときの配光画像を示している。そして、（ａ−２）は、この配光画像の階調値の分布を示すプロファイル画像である。（ａ−２）に示すプロファイル画像を参照すると、配光部Ｐ０ｒに対応する位置におけるＸ方向に沿う階調値の推移は、概ね水平となっている。
【００５４】
これに対し、（ｂ−１）は、光変調素子２５がＸ方向に沿って−１００μｍずれているときの配光画像を示している。そして、（ｂ−２）は、この配光画像の階調値の分布を示すプロファイル画像である。（ｂ−２）に示すプロファイル画像を参照すると、配光部Ｐ０ｒに対応する位置におけるＸ方向に沿う階調値の推移を示す近似直線は、傾いている。Ｘ方向に対するその傾きは、θｂである。
【００５５】
さらに、（ｃ−１）は、光変調素子２５がＸ方向に沿って−２００μｍずれているときの配光画像を示している。そして、（ｃ−２）は、この配光画像の階調値の分布を示すプロファイル画像である。（ｃ−２）に示すプロファイル画像を参照すると、配光部Ｐ０ｒに対応する位置におけるＸ方向に沿う階調値の推移を示す近似直線は、傾いている。Ｘ方向に対するその傾きは、θｃである。ここで、θｃ＞θｂである。
【００５６】
すなわち、中心点からのずれ量が大きくなるほど、近似直線の傾きθは大きくなる。この関係に着目すれば、近似直線の傾きから、光源３３と光変調素子２５とのずれ量を把握することができる。このような近似直線の傾きを用いてずれ量を把握した後は、第１実施形態と同様に位置ずれを修正し、光変調素子２５の検査を行うことができる。従って、このような第２実施形態によっても、第１実施形態と同様に、光源３３と光変調素子２５との高精度な位置決めを維持しつつ、短時間で光変調素子２５の検査を行うことができる。
【００５７】
なお、第１実施形態及び第２実施形態における上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００５８】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００５９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００６０】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００６１】
１  検査装置
１０  第１光学部
１１  第１撮像装置
１２  第１レンズ
１３  スクリーン
２０  位置合わせ部
２１  第１回転ステージ
２２  第２回転ステージ
２３  ＸＹ移動ステージ
２５  光変調素子
３０  照明部
３１  基板設置ジグ
３２  基板
３３  光源
４０  ＰＣ
５０  第２光学部
５１  第２撮像装置
５２  第２レンズ
Ｐ０  配光画像
Ｐ０ｒ  配光部
【図１】
2019045399.tif 000003
【図２】
2019045399.tif 000004
【図３】
2019045399.tif 000005
【図４】
2019045399.tif 000006
【図５】
2019045399.tif 000007
【図６】
2019045399.tif 000008
【図７】
2019045399.tif 000009
【図８】
2019045399.tif 000010
【図９】
2019045399.tif 000011
【図１０】
2019045399.tif 000012
【図１１】
2019045399.tif 000013
【図１２】
2019045399.tif 000014
【図１３】
2019045399.tif 000015
【図１４】
2019045399.tif 000016